(57)【要約】【課題】本発明の目的は、隣り合うタグの配置間隔を狭くしても、書き込み目標のタグと隣り合うタグに誤った情報を書き込むのを抑制可能なタグ付きシートを提供すること。【解決手段】台紙１０Ａに取付けられ、電波で電子情報を送受信する第１タグ１２と、台紙１０Ａに第１タグ１２と隣り合うように取付けられ、電波で電子情報を送受信すると共に、平面視において第１タグ１２のアンテナ１６の延出方向と交差する方向にアンテナ２６が延出する第２タグ２２と、をタグ取付シート１０が備えることで、隣り合う第１タグ１２と第２タグ２２との配置間隔を狭くしても、書き込み目標の第１タグ１２と隣り合う第２タグ２２に誤った情報を書き込むのを抑制することができる。【選択図】図４
2009301226.tif 000002
【特許請求の範囲】
【請求項１】
シートに取付けられ、電波で情報を送受信する第１タグと、
前記シートに前記第１タグと隣り合うように取付けられ、電波で情報を送受信すると共に、平面視において前記第１タグのアンテナの延出方向と交差する方向にアンテナが延出する第２タグと、
を備えるタグ取付シート。
【請求項２】
前記第１タグのアンテナの延出方向と、前記第２タグのアンテナの延出方向とが直交している請求項１に記載のタグ取付シート。
【請求項３】
前記シートに前記第１タグと前記第２タグとが夫々複数個取付けられ、
前記シートの一方向に沿って隣り合う前記第１タグのアンテナの延出方向と、前記第２タグのアンテナの延出方向とが直交している請求項１に記載のタグ取付シート。
【請求項４】
前記第１タグのアンテナの延出方向と前記第２タグのアンテナの延出方向とが直交するように前記シートの両面に前記第１タグ及び前記第２タグが配置されている請求項１に記載のタグ取付シート。
【請求項５】
シートを蛇腹折りして展開し、電波で情報を送受信する第１タグと、電波で情報を送受信する第２タグとを前記シートの折り目の両側に取り付けたタグ取付シート。
【請求項６】
請求項１〜請求項５の何れか１項のタグ取付シートを搬送する搬送手段と、
前記タグ取付シートの搬送経路上に設けられ、搬送される前記タグ取付シートの第１タグのアンテナと送受信できる向きのアンテナ及び前記第２タグのアンテナと送受信できる向きのアンテナを有し、前記第１タグのアンテナ及び前記第２タグのアンテナに対して電波で情報を送信し、前記情報を前記第１タグ及び前記第２タグに書き込む書込手段と、
を備えるタグ情報書込装置。
【請求項７】
請求項１〜請求項５の何れか１項のタグ取付シートを請求項６のタグ情報書込装置へ送り、前記第１タグと前記第２タグに情報を書き込むタグ情報書込システム。
【発明の詳細な説明】
【技術分野】
【０００１】
本発明は、タグ取付シート、タグ情報書込装置、及びタグ情報書込システムに関する。
【背景技術】
【０００２】
近年、非接触で情報を送受信可能なＲＦＩＤ（Ｒａｄｉｏ  Ｆｒｅｑｕｅｎｃｙ  Ｉｄｅｎｔｉｆｉｃａｔｉｏｎ）システムが開発されている。このＲＦＩＤシステムは、電子回路を搭載し情報を保持するＩＣチップ（ＲＦＩＤタグ）と、ＩＣチップから情報を読み取る又はＩＣチップに情報を書き込むリーダ／ライタ（読取／書込装置）とから構成される。
【０００３】
特許文献１には、内部にＲＦＩＤタグを封入したラベル片を長手方向に等間隔で仮着した連続ラベル紙を搬送しつつ、ＲＦＩＤタグに情報を書き込み、ラベル片の表面に画像形成を行うＲＦＩＤタグ書込み機能付き（搭載）の画像形成装置が開示されている。この画像形成装置では、リーダ／ライタにＲＦＩＤタグのタグ側アンテナと通信するためのリーダ／ライタ側アンテナを設けて両者間の情報伝達を非接触で行っている。また、特許文献１では、ＲＦＩＤタグへの情報の書き込み精度を上げつつ、書込み作業でのスループットの低下を抑制するために、連続ラベル紙の搬送速度を最適な搬送速度となるように制御している。
【特許文献１】特開２００３−１４０５４８号公報
【発明の開示】
【発明が解決しようとする課題】
【０００４】
ところで、隣り合うＲＦＩＤタグの配置間隔を狭くし過ぎると、リーダ／ライタから送信される電波を、書き込み目標のＲＦＩＤタグに隣り合うＲＦＩＤタグも受信してしまい、隣り合うＲＦＩＤタグに誤った情報が書き込まれる。
【０００５】
本発明の目的は、隣り合うタグの配置間隔を狭くしても、書き込み目標のタグと隣り合うタグに誤った情報が書き込まれることを抑制可能なタグ付きシートを提供することである。
【課題を解決するための手段】
【０００６】
本発明の請求項１に記載のタグ取付シートは、シートに取付けられ、電波で情報を送受信する第１タグと、前記シートに前記第１タグと隣り合うように取付けられ、電波で情報を送受信すると共に、平面視において前記第１タグのアンテナの延出方向と交差する方向にアンテナが延出する第２タグと、を備える。
【０００７】
本発明の請求項２に記載のタグ取付シートは、前記第１タグのアンテナの延出方向と、前記第２タグのアンテナの延出方向とが直交している。
【０００８】
本発明の請求項３に記載のタグ取付シートは、前記シートに前記第１タグと前記第２タグとが夫々複数個取付けられ、前記シートの一方向に沿って隣り合う前記第１タグのアンテナの延出方向と、前記第２タグのアンテナの延出方向とが直交している。
【０００９】
本発明の請求項４に記載のタグ取付シートは、前記第１タグのアンテナの延出方向と前記第２タグのアンテナの延出方向とが直交するように前記シートの両面に前記第１タグ及び前記第２タグが配置されている。
【００１０】
本発明の請求項５に記載のタグ取付シートは、シートを蛇腹折りして展開し、電波で情報を送受信する第１タグと、電波で情報を送受信する第２タグとを前記シートの折り目の両側に取り付けた。
【００１１】
本発明の請求項６に記載のタグ情報書込装置は、請求項１〜請求項５の何れか１項のタグ取付シートを搬送する搬送手段と、前記タグ取付シートの搬送経路上に設けられ、搬送される前記タグ取付シートの第１タグのアンテナと送受信できる向きのアンテナ及び前記第２タグのアンテナと送受信できる向きのアンテナを有し、前記第１タグのアンテナ及び前記第２タグのアンテナに対して電波で情報を送信し、前記情報を前記第１タグ及び前記第２タグに書き込む書込手段と、を備える。
【００１２】
本発明の請求項７に記載のタグ情報書込システムは、請求項１〜請求項５の何れか１項のタグ取付シートを請求項６のタグ情報書込装置へ送り、前記第１タグと前記第２タグに情報を書き込む。
【発明の効果】
【００１３】
請求項１の発明は、本構成を有していない場合と比較して、隣り合う第１タグ及び第２タグの配置間隔を狭くしても、書き込み目標の第１タグと隣り合う第２タグに誤った情報が書き込まれることを抑制できる。
【００１４】
請求項２の発明は、本構成を有していない場合と比較して、書き込み目標の第１タグと隣り合う第２タグに誤った情報が書き込まれることを効果的に抑制できる。
【００１５】
請求項３の発明は、本構成を有していない場合と比較して、シートの一方向に沿って取付けられた複数の第１タグ及び第２タグに誤った情報が書き込まれることを抑制しつつ、一括で情報を書き込むことができる。
【００１６】
請求項４の発明は、本構成を有していない場合と比較して、１枚のシートにより多くの第１タグ及び第２タグを取付けることができる。
【００１７】
請求項５の発明は、本構成を有していない場合と比較して、シートの折り目の両側に取り付けた第１タグ及び第２タグの配置間隔を狭くしても、書き込み目標の第１タグと隣り合う第２タグに誤った情報が書き込まれることを抑制できる。
【００１８】
請求項６の発明は、本構成を有していない場合と比較して、タグ取付シートの書き込み目標の第１タグと隣り合う第２タグに誤った情報が書き込まれることを抑制できる。
【００１９】
請求項７の発明は、本構成を有していない場合と比較して、タグ取付シートの書き込み目標の第１タグと隣り合う第２タグに誤った情報が書き込まれることを抑制できる。
【発明を実施するための最良の形態】
【００２０】
（第１実施形態）
以下、図面を参照して本発明の一実施形態である第１実施形態について詳細に説明する。図１は、第１実施形態のタグ取付シート１０の第１タグ１２及び第２タグ２２にタグ情報書込装置４０で情報を書き込むタグ情報書込システム８０の全体構成図である。
【００２１】
図１に示されるように、タグ情報書込システム８０の、タグ取付シート１０の搬送方向（矢印Ｅ方向）の上流側（以下、単に「上流側」という場合もある）には、搬送路８２を通じてタグ取付シート１０をタグ情報書込装置４０へ供給するシート供給装置９０が設けられている。
【００２２】
シート供給装置９０は、内部にタグ取付シート１０を束状に積層して収納する給紙トレイ９１と、この給紙トレイ９１から最上位のタグ取付シート１０をピックアップするピックアップローラ９２と、ピックアップされたタグ取付シート１０を挟持して搬送路８２へ搬送する一対の搬送ローラ９４と、を備えている。
【００２３】
搬送ローラ９４で搬送したタグ取付シート１０は、搬送路８２を通ってタグ情報書込装置４０（詳細は後述）へ供給される。タグ情報書込装置４０では、供給されたタグ取付シート１０の第１タグ１２及び第２タグ２２に所定の情報を書き込む。情報が書き込まれた後のタグ取付シート１０は、タグ情報書込装置４０の搬送ベルト６０及び搬送ベルト７０によって搬送方向の下流側に設けられた搬送路８４へと挟持搬送される。
【００２４】
搬送路８４の下流側には、搬送路８４を通ったタグ取付シート１０を収納するシート収納装置９６が設けられている。このシート収納装置９６は、内部にタグ取付シート１０を束状に積層して収納できる収納トレイ９７と、搬送路８４を通ったタグ取付シート１０を挟持して収納トレイ９７へ搬送する一対の搬送ローラ９８と、を備えている。
【００２５】
＜タグ情報書込装置＞
図１に示されるように、タグ情報書込装置４０は、装置本体内に駆動回転する搬送ベルト６０と、搬送ベルト６０に対して従動回転する搬送ベルト７０と、タグ取付シート１０の第１タグ１２及び第２タグ２２に情報を書き込む情報書込ユニット４２と、電気系統を制御するコントローラ５８とを備えている。また、図示しないが、搬送ベルト７０の搬送方向Ｅの上流側には、搬送路８２を通って供給されるタグ取付シート１０の搬送方向の先端（又は前端）及び後端を検出する光学式センサが設けられており、この光学式センサは検出信号をコントローラ５８に送るようになっている。
【００２６】
搬送ベルト６０は、装置本体に回動自在に支持された複数のプーリ６２に巻き掛けられており、複数のプーリ６２の一つに連結された駆動モータ６４の駆動力（回転力）によって回転する。この駆動モータ６４は、後述するコントローラ５８に接続されている。
【００２７】
搬送ベルト７０は、搬送ベルト６０よりも装置上部に配置され、装置本体に回動自在に支持された一対のプーリ７２に巻き掛けられている。また、搬送ベルト７０は、搬送ベルト６０の回転に対して従動回転し、搬送路８２を通って搬送されたタグ取付シート１０を搬送ベルト６０と共に挟持搬送するようになっている。なお、搬送ベルト６０はタグ取付シート１０の下面に接触し、搬送ベルト７０はタグ取付シート１０の上面に接触する。また、搬送ベルト６０及び搬送ベルト７０は、電波を通す材料、例えば、ゴムで成形されている。
【００２８】
図１及び図２に示されるように、情報書込ユニット４２は、矩形状のハウジング４４と、ハウジング４４内に収納された複数（本実施形態では５つ）のアンテナユニット４６とを備えている。このアンテナユニット４６は、電波を送受信するポール状のアンテナ４８と、アンテナ４８の一端部に接続されて電波の送受信を制御する電波変換制御部５０とを含んで構成されている。この電波変換制御部５０は、コントローラ５８に接続されており、コントローラ５８からの電子情報を電波に変換してアンテナ４８から送信（発信）するようになっている。なお、この電波変換制御部５０は、アンテナ４８で受信した電波を電子情報に変換してコントローラ５８へ送信することもできる。
【００２９】
また、図２に示されるように、アンテナユニット４６のアンテナ４８は、搬送方向の上流側と下流側とでアンテナ４８の向き（延出方向）が交差（本実施形態では直交）している。具体的には、搬送方向の上流側に配置されたアンテナユニット４６をアンテナユニット４６Ａ（アンテナ４８Ａ、電波変換制御部５０Ａ）とし、搬送方向の下流側に配置されたアンテナユニット４６をアンテナユニット４６Ｂ（アンテナ４８Ｂ、電波変換制御部５０Ｂ）としたとき、アンテナ４８Ａは搬送方向に沿って延出しており、アンテナ４８Ｂは搬送方向と直交する方向に延出している。このため、アンテナ４８Ａから発信される電波（偏波）の振動方向と、アンテナ４８Ｂから発信される電波（偏波）の振動方向は、９０度位相がずれる。つまり、アンテナ４８Ａとアンテナ４８Ｂとの配置間隔を狭めても電波同士の干渉が最小限に抑制される。また、アンテナ４８Ａは、後述するタグ取付シート１０が情報書込ユニット４２上を移動したときに、平面視で後述する第１タグ１２のアンテナ１６と夫々重なるように配置されている。同様に、アンテナ４８Ｂは、後述するタグ取付シート１０が情報書込ユニット４２上を移動したときに、平面視で後述する第２タグ２２のアンテナ２６と夫々重なるように配置されている。なお、本実施形態では、アンテナユニット４６Ａは３つであり、アンテナユニット４６Ｂは２つである。
【００３０】
本実施形態のタグ情報書込システム８０では、電波の周波数帯を２．４５ＧＨｚ帯（マイクロ波）に設定している。このため、ポール状のアンテナ４８からは直進性、指向性が強い電波が発信される。なお、本実施形態では、電波の周波数帯を２．４５ＧＨｚ帯（マイクロ波）に設定しているが、本発明は、この構成に限定される必要はなく、８６０ＭＨｚ〜９６０ＭＨｚ帯（ＵＨＦ帯）に設定してもよい。ＵＨＦ帯の電波はマイクロ波と同様に直進性、指向性に優れる。
【００３１】
コントローラ５８は、搬送ベルト６０を回転させる駆動モータ７４を制御している。つまり、搬送ベルト６０と搬送ベルト７０とでタグ取付シート１０を搬送制御している。具体的には、コントローラ５８は、図示しない光学式センサでタグ取付シート１０の先端又は後端を検出した検出信号に基づいて、タグ取付シート１０の搬送を所定の位置で停止するようになっている。すなわち、コントローラ５８は、タグ取付シート１０の第１タグ１２及び第２タグ２２への情報の書込み時には、一旦、タグ取付シート１０の搬送を停止し、書込み終了後、タグ取付シート１０の搬送を再開するように駆動モータ７４を制御することができる。
【００３２】
＜タグ取付シート＞
図３（Ａ）及び図３（Ｂ）には、タグ情報書込装置４０で第１タグ１２及び第２タグ２２に情報が書き込まれるタグ取付シート１０が示されている。タグ取付シート１０は、シートの一例としての台紙１０Ａと、この台紙１０Ａ上に剥離自在に貼付けられ、第１タグ１２又は第２タグ２２が封入された複数のラベル片１１とからなる。なお、本実施形態では、タグ取付シート１０の台紙１０Ａは、Ａ４サイズであり、ラベル片１１が５行２列（長手方向が行方向Ｙ、短手方向が列方向Ｘ）で貼付けられている（ラベル片１１は合計１０個）。また、ラベル片１１は、表面が画像形成（印刷）可能となっており、裏面には、台紙１０Ａから剥がしたとき、書籍などの管理用の物品に貼り付けることができるように糊が付着している。
【００３３】
Ｙ方向に奇数行のラベル片１１の内部には、ＲＦＩＤタグとしての第１タグ１２が封入され、偶数行のラベル片１１の内部には、ＲＦＩＤタグとしての第２タグ２２が封入されている。換言すれば、第１タグ１２及び第２タグ２２は、ラベル片１１を介して台紙１０Ａに取付けられている。第１タグ１２は、電子情報を記憶するための不揮発性メモリ（以下単にメモリと記載）を搭載したＩＣチップ１４と、ＩＣチップ１４に電気的に接続されたポール状のアンテナ１６とを含んで構成されている。メモリとしては、電気的に書換え可能なメモリを用いているが、用途に合わせて初回のみ書き込み可能なメモリを用いてもよい。また、アンテナ１６は、ＩＣチップ１４の両側にＸ方向に沿って延出している。また、第２タグ２２は、電子情報を記憶するためのメモリを搭載したＩＣチップ２４と、ＩＣチップ２４に電気的に接続されたポール状のアンテナ２６とを含んで構成されている。メモリとしては、電気的に書換え可能なメモリを用いているが、用途に合わせて初回のみ書き込み可能なメモリを用いてもよい。また、アンテナ２６は、ＩＣチップ２４の両側にＹ方向に沿って延出している。ここで、タグ取付シート１０を平面視すると、第１タグ１２のアンテナ１６の延出方向と、第２タグ２２のアンテナ２６の延出方向とが直交している。なお、本実施形態では、第１タグ１２のアンテナ１６の延出方向と、２のアンテナ１６の延出方向とが直交するように第１タグ１２及び第２タグ２２を台紙１０Ａ上に配置する構成としているが、第１タグ１２のアンテナ１６の延出方向と、２のアンテナ１６の延出方向とが９０度〜１１０度の範囲で交差するように第１タグ１２及び第２タグ２２を台紙１０Ａ上に配置する構成としてもよい。
【００３４】
次に、第１実施形態のタグ情報書込システム８０の作用について説明する。図１に示されるように、シート供給装置９０からピックアップされたタグ取付シート１０は、搬送ローラ９４で挟持搬送されて搬送路８２を通り、タグ情報書込装置４０へ供給される。なお、タグ取付シート１０は、短手方向（列方向Ｘ）が搬送方向Ｅとなるようにタグ情報書込装置４０へ供給される（図４参照）。供給されたタグ取付シート１０は、図示しない光学式センサで先端又は後端が検出される。この検出信号に基づいて、コントローラ５８は駆動モータ７４を駆動させて搬送ベルト６０とこれに従動する搬送ベルト７０を回転させ、タグ取付シート１０を所定の位置まで挟持搬送させる。
【００３５】
コントローラ５８は、タグ取付シート１０が図５の位置に到達すると駆動モータ７４を停止させてタグ取付シート１０の搬送を一旦停止する。なお、図５の位置とは、平面視でアンテナユニット４６Ａのアンテナ４８Ａと、第１タグ１２のアンテナ１６とが重なる位置、特に本実施形態でのアンテナが重なる位置とは、例えば、ＩＣチップ１４の両側に延出するアンテナ１６の両端が共にアンテナ４８Ａに重なる位置を指している。タグ取付シート１０が停止した後、コントローラ５８はアンテナユニット４６Ａの電波変換制御部５０Ａに書込み用の電子情報を送信する。
【００３６】
電波変換制御部５０Ａは、コントローラ５８からの書込み用の電子情報を電波に変換しアンテナ４８Ａに重なっている第１タグ１２のアンテナ１６に向けて電波を発信する。アンテナ１６はこの電波を受信する。受信した電波はＩＣチップ１４の電気回路でエネルギー（アンテナの共振作用で得られるエネルギー）と信号（電子情報）とに変換される。エネルギーが供給されたＩＣチップ１４は、電子情報をメモリに書き込む（メモリで記憶する）。メモリへの書込みが完了した後、コントローラ５８は、タグ取付シート１０を再び下流側へ搬送させる。
【００３７】
ここで、アンテナ４８Ａからアンテナ１６へ発信される電波は、図８に示されるような偏波（偏波の振動方向はＸ方向（又は搬送方向））となる。第１タグ１２にＹ方向に隣接する第２タグ２２のアンテナ２６はＹ方向に延出しているため、振動方向が搬送方向（Ｙ方向）となる偏波を受信した場合、最も強い電波を得られるが、搬送方向と直交する方向（Ｘ方向）となる偏波を受信した場合、電波が弱すぎるため、第２タグ２２のＩＣチップ２４を動作させるだけのエネルギーが得られない。つまり、アンテナ４８Ａからアンテナ１６へ電波を送信しても、第２タグ２２は動作しない（即ち誤動作しない）ため第２タグ２２に対して誤った書込みが抑制される。
【００３８】
なお、本実施形態では、コントローラ５８から電波変換制御部５０Ａへ書込み用の電子情報を送信してから所定時間後にタグ取付シート１０を再び搬送させる構成としているが、本発明はこの構成に限定されず、書込み不良などを防止するために、ＩＣチップ１４のメモリへの書込みが完了した後、ＩＣチップ１４から書込み完了を知らせる電子情報をアンテナ１６、アンテナ４８Ａを介してコントローラ５８に伝達する構成としてもよい。なお、図６では、図５において電子情報の書込みが完了した第１タグ１２を黒塗りにしている。
【００３９】
次に、コントローラ５８は、タグ取付シート１０が図６の位置に到達すると駆動モータ７４を停止させてタグ取付シート１０の搬送を一旦停止する。なお、図６の位置とは、平面視でアンテナユニット４６Ａのアンテナ４８Ａと第１タグ１２のアンテナ１６とが重なり、アンテナユニット４６Ｂのアンテナ４８Ｂと第２タグ２２のアンテナ２６とが重なる位置である。タグ取付シート１０が停止した後、コントローラ５８はアンテナユニット４６Ａの電波変換制御部５０Ａに書込み用の電子情報を送信し、アンテナユニット４６Ｂの電波変換制御部５０Ａに書込み用の電子情報を送信する。
【００４０】
電波変換制御部５０Ａは、コントローラ５８からの電子情報を電波に変換しアンテナ４８Ａに重なっている第１タグ１２のアンテナ１６に向けて電波を発信する。アンテナ１６はこの電波を受信する。受信した電波はＩＣチップ１４の電気回路でエネルギーと信号（電子情報）とに変換される。エネルギーが供給されたＩＣチップ１４は、電子情報をメモリに書き込む（メモリで記憶する）。また、電波変換制御部５０Ｂも同様に、コントローラ５８からの電子情報を電波に変換しアンテナ４８Ｂに重なっている第２タグ２２のアンテナ２６に向けて電波を発信する。アンテナ２６はこの電波を受信する。受信した電波はＩＣチップ２４の電気回路でエネルギーと信号（電子情報）とに変換される。エネルギーが供給されたＩＣチップ２４は、電子情報をメモリに書き込む（メモリで記憶する）。メモリへの書込みが完了した後、コントローラ５８は、タグ取付シート１０を再び下流側へ搬送させる。なお、図７では、図５及び図６において電子情報の書込みが完了した第１タグ１２及び第２タグ２２を黒塗りにしている。
【００４１】
次に、コントローラ５８は、タグ取付シート１０が図７の位置に到達すると駆動モータ７４を停止させてタグ取付シート１０の搬送を一旦停止する。なお、図７の位置とは、平面視でアンテナユニット４６Ｂのアンテナ４８Ｂと第２タグ２２のアンテナ２６とが重なる位置である。タグ取付シート１０が停止した後、コントローラ５８はアンテナユニット４６Ｂの電波変換制御部５０Ａに書込み用の電子情報を送信する。
【００４２】
電波変換制御部５０Ｂは、コントローラ５８からの電子情報を電波に変換しアンテナ４８Ｂに重なっている第２タグ２２のアンテナ２６に向けて電波を発信する。アンテナ２６はこの電波を受信する。受信した電波はＩＣチップ２４の電気回路でエネルギーと信号（電子情報）とに変換される。エネルギーが供給されたＩＣチップ２４は、電子情報をメモリに書き込む（メモリで記憶する）。これにより、タグ取付シート１０の第１タグ及び第２タグへの情報の書込みが完了する。書込みが完了した後、コントローラ５８は、タグ取付シート１０を搬送路８４へ搬送させる。タグ取付シート１０は、搬送路８４を通り、搬送ローラ９８に挟持搬送されてシート収納装置９６の収納トレイ９７へ積層されて収納される。
【００４３】
なお、本実施形態では、第１タグ１２及び第２タグ２２に書込む電子情報を同一のものとする構成としているが、本発明はこの構成に限定される必要はなく、各タグに別々の電子情報を書き込んでもよい。別々の電子情報を書き込む場合には、書込み対象のタグ毎にコントローラ５８から別々の電子情報を送信させればよい。
【００４４】
（第２実施形態）
次に、本発明の第２実施形態を図９及び図１０に基づいて説明する。なお、第１実施形態と同一部材については、同一符号を付して説明を省略する。
【００４５】
図９に示されるように、第２実施形態のタグ取付シート１５０は、第１実施形態のタグ取付シート１０と第１タグ１２及び第２タグ２２の配置が異なっている。具体的に説明すると、第１タグ１２に隣り合うタグが全て第２タグとなるように配置、つまり、行方向及び列方向に第１タグ１２及び第２タグ２２が交互に配置されている。
【００４６】
図１０に示されるように、第２実施形態のタグ情報書込装置１６０は、第１実施形態のタグ情報書込装置４０とアンテナユニット４６Ａ及びアンテナユニット４６Ｂの配置及び数量が異なっている。具体的には、情報書込ユニット１６２には、アンテナユニット４６Ａ及びアンテナユニット４６Ｂが夫々５個ずつ設けられており、これらのアンテナユニット４６Ａのアンテナ４８Ａ及びアンテナユニット４６Ｂのアンテナ４８Ｂがタグ取付シート１５０の第１タグ１２のアンテナ１６及び第２タグ２２のアンテナ２６に平面視で重なるように夫々配置されている。
【００４７】
次に、第２実施形態の作用について説明する。タグ取付シート１５０を搬送方向に移動させると、アンテナユニット４６Ａのアンテナ４８Ａ及びアンテナユニット４６Ｂのアンテナ４８Ｂが夫々第１タグ１２のアンテナ１６及び第２タグ２２のアンテナ２６に重なる。この状態で、各アンテナユニット４６Ａ及びアンテナユニット４６Ｂから各第１タグ１２及び第２タグ２２に書込み用の電子情報を送信することで、一括して第１タグ１２及び第２タグ２２に電子情報の書込みが行える。このとき、第１タグ１２のアンテナ１６の延出方向及び第２タグ２２のアンテナ２６の延出方向が直交しているため、隣接するアンテナユニット４６Ａとアンテナユニット４６Ｂとから発信される電波同士が干渉するのが抑制されると共に、第１タグ１２及び第２タグ２２が電波を受信して誤動作し、メモリに誤書込みをすることが防止される。
【００４８】
（第３実施形態）
次に、本発明の第３実施形態を図１１（Ａ）、図１１（Ｂ）及び図１２に基づいて説明する。なお、第１実施形態と同一部材については、同一符号を付して説明を省略する。
【００４９】
図１１に示されるように、第３実施形態のタグ取付シート１７０は台紙１０Ａの両面に５行２列の配列でラベル片１１が仮着されている。ここで、タグ取付シート１７０の表面側のラベル片１１に対する第１タグ１２及び第２タグ２２の配置は、第２実施形態のタグ取付シート１５０の第１タグ１２及び第２タグ２２の配置と同じである。また、タグ取付シート１７０の裏面側のラベル片１１に対する第１タグ１２及び第２タグ２２の配置は、タグ取付シート１７０の表面側の第１タグ１２及び第２タグ２２の配置と左右対称となっている。このため、図１１に示されるように、表面側の第１タグ１２のアンテナ１６と裏面側の第２タグ２２のアンテナ２６とが平面視で直交して重なるようになっている。
【００５０】
図１２に示されるように、タグ取付シート１７０は、第２実施形態のタグ情報書込装置１６０を用いて第１タグ１２及び第２タグ２２に電子情報の書込みを行うことができる。
【００５１】
次に、第３実施形態の作用について説明する。タグ取付シート１７０は、両面に第１タグ１２及び第２タグ２２が配置されるため、２枚のシートに別々に第１タグ１２及び第２タグ２２を配置するよりも、シートのコストを削減可能となる。また、給紙トレイ９１及び収納トレイ９７への積載量を増加させられる。
【００５２】
（第４実施形態）
次に、本発明の第４実施形態を図１３及び図１４に基づいて説明する。なお、第１実施形態と同一部材については、同一符号を付して説明を省略する。
【００５３】
図１３に示されるように、第４実施形態のタグ取付シート１８０は、第１実施形態のタグ取付シート１０のアンテナ１６の延出方向、及びアンテナ２６の延出方向が異なっている。具体的に説明すると、タグ取付シート１８０の第１タグ１２のアンテナ１６は左上から右下へ傾斜して延出しており、第２タグ２２のアンテナ２６は右上から左下へ傾斜して延出している。また、第１タグ１２のアンテナ１６の延出方向と、第２タグ２２のアンテナ２６の延出方向とが平面視で直交している。
【００５４】
図１４に示されるように、第４実施形態のタグ情報書込装置１９０は、第１実施形態のタグ情報書込装置４０のアンテナ４８Ａの延出方向、及びアンテナ４８Ｂの延出方向が異なっている。具体的に説明すると、アンテナユニット４６Ａのアンテナ４８Ａは左上がりに傾斜して延出し、アンテナユニット４６Ｂのアンテナ４８Ｂは右上がりに傾斜して延出しており、搬送されるタグ取付シート１８０の第１タグ１２のアンテナ１６にアンテナユニット４６Ａのアンテナ４８Ａが平面視で重なり、第２タグ２２のアンテナ２６にアンテナユニット４６Ｂのアンテナ４８Ｂが平面視で重なるようになっている。また、アンテナユニット４６Ａのアンテナ４８Ａの延出方向と、アンテナユニット４６Ｂのアンテナ４８Ｂの延出方向とが直交している。
【００５５】
次に、第４実施形態の作用について説明する。第１タグ１２のアンテナ１６の延出方向、及び第２タグ２２のアンテナ２６の延出方向をタグ取付シート１８０の斜め方向にしたことで、タグ取付シート１８０のカールが抑制される。つまり、台紙１９０Ａが縦目でも横目でも第１タグ１２のアンテナ１６及び第２タグ２２のアンテナ２６が斜め方向に延出しているため、各アンテナの剛性によってタグ取付シート１８０の剛性も向上し、タグ取付シート１８０のカールが抑制される。
【００５６】
（第５実施形態）
次に、本発明の第５実施形態を図１５及び図１６（Ａ）〜図１６（Ｃ）に基づいて説明する。なお、第１実施形態と同一部材については、同一符号を付して説明を省略する。
【００５７】
図１５に示されるように、第５実施形態のタグ情報書込システム２００は、後述するタグ情報書込装置２３０へタグ取付シートを供給するためのシート供給装置９０を上下に並べて２つ備えている。上側のシート供給装置９０から供給されるタグ取付シート２１０（詳細後述）は、搬送路８２を通って搬送ローラ８６へと搬送され、下側のシート供給装置９０から供給されるタグ取付シート２２０（詳細後述）は、搬送路８８を通って搬送ローラ８６へと搬送される。また、この搬送路８８の途中には、搬送路８８内のタグ取付シート２２０を搬送ローラ８６へ挟持搬送するための一対の搬送ローラ８７が設けられている。
【００５８】
また、図１６（Ａ）に示されるように、第５実施形態の第１タグ取付シート２１０は、第１実施形態のタグ取付シート１０と第１タグ１２及び第２タグ２２の配置が異なっている。具体的に説明すると、第１タグ１２に隣り合うタグが全て第２タグ２２となるように配置、つまり、行方向及び列方向に第１タグ１２及び第２タグ２２が交互に配置されている。また、第２タグ２２は、ラベル片１１の中心よりも左よりに配置されている。また、図１６（Ｂ）に示されるように、第２タグ取付シート２２０は、第１タグ１２及び第２タグ２２の配置が第１タグ取付シート２１０と左右対称になっている。前述した上側のシート供給装置９０の給紙トレイ９１には、第１タグ取付シート２１０が積層して収納され、下側のシート供給装置９０の給紙トレイ９１には、第２タグ取付シート２２０が積層して収納されている。
【００５９】
図１５に示されるように、上側のシート供給装置９０から供給された第１タグ取付シート２１０と、下側のシート供給装置９０から供給された第２タグ取付シート２２０とは、搬送ローラ８７で重ね合わされ（平面視）、搬送ベルト６０及び搬送ベルト７０へ搬送される。
【００６０】
図１５に示されるように、第５実施形態のタグ情報書込装置２３０は、搬送ベルト６０の間に情報書込ユニット２３２を備え、搬送ベルト７０の間に情報書込ユニット２３４を備え、これらの情報書込ユニット２３２及び情報書込ユニット２３４は互いにベルトを介して対向して配置されている。情報書込ユニット２３２には、アンテナ４８Ａの延出方向が搬送方向（列方向）に沿うアンテナユニット４６Ａが５行２列で１０個設けられている。情報書込ユニット２３４には、アンテナ４８Ｂの延出方向が搬送方向と直行する方向（行方向）に沿うアンテナユニット４６Ａが５行２列で１０個設けられている。これらのアンテナユニット４６Ａ及びアンテナユニット４６Ａを平面視すると、図１６（Ｃ）に示されるように、アンテナ４８Ａとアンテナ４８Ｂとが重なると共に直交している。また、２枚重ね合わせて搬送されるタグ取付シート２１０及びタグ取付シート２２０の各第１タグ１２のアンテナ１６にアンテナユニット４６Ａのアンテナ４８Ａが重なり、各第２タグ２２のアンテナ２６にアンテナユニット４６Ｂのアンテナ４８Ｂが重なるようになっている。
【００６１】
次に、第５実施形態の作用について説明する。タグ情報書込装置２３０は、タグ取付シート２１０及びタグ取付シート２２０を重ね合わせて搬送し、これらのタグ取付シート２１０及びタグ取付シート２２０に取付けられた第１タグ１２及び第２タグ２２に情報書込ユニット２３２及び情報書込ユニット２３４で情報を書き込む。このため、一枚ずつタグ取付シートを処理するよりも多くのタグ取付シートを処理できる。また、タグ情報書込装置２３０は重ね合わせたタグ取付シート２１０及びタグ取付シート２２０に対して一括で情報を書き込める。
【００６２】
（第６実施形態）
次に、本発明の第６実施形態を図１７及び図１８に基づいて説明する。なお、第１実施形態と同一部材については、同一符号を付して説明を省略する。
【００６３】
図１７に示されるように、第６実施形態のタグ取付シート２４０は、台紙２４０Ａが蛇腹折りされており、折り目の両側にラベル片２４２が剥離可能に貼り付けられている。ラベル片２４２の内部には、ＲＦＩＤタグとしての第１タグ２５０及び第２タグ２６０の何れかが封入されている。具体的には、第１タグ２５０及び第２タグ２６０は、折り目を挟んで左右両側に貼付けられている。第１タグ２５０は、コイル状のアンテナ２５２と、このアンテナ２５２に電気的に接続されたＩＣチップ２５４を含んで構成されている。また、第２タグ２６０は、コイル状のアンテナ２６２と、このアンテナ２６２に電気的に接続されたＩＣチップ２６４を含んで構成されている。なお、本実施形態では、アンテナ２５２及びアンテナ２６２のコイルの中心を通る中心線Ｍが互いに直交している。
【００６４】
図１７に示されるように、第６実施形態のタグ情報書込装置２７０は、搬送方向上流側から下流側に延びるワイヤ２８０を２本備えている。このワイヤ２８０は、図示しない一対のプーリに巻き掛けられており、このプーリに連結された駆動モータ（図示省略）で回転するようになっている（駆動モータはコントローラ５８によって制御されている）。また、ワイヤ２８０は図１７に示すように搬送方向Ｅと直交する方向に２本並んで設けられている。この２本のワイヤ２８０には、前述したタグ取付シート２４０の角部が夫々引っ掛かるようになっている（図１８参照）。また、ワイヤ２８０と平行に断面形状がＶ字型のガイド部材２８２が搬送方向の上流側から下流側へと延びている。このガイド部材２８２は、図１８に示されるようにタグ取付シート２４０の中央部分をガイドするようになっている。ここで、ワイヤ２８０が回転すると、自重でワイヤ２８０に押し付けられるタグ取付シート２４０は、中央部分がガイド部材２８２にガイドされながら、搬送方向に搬送される。
【００６５】
また、タグ情報書込装置２７０は情報書込ユニット２７２を備えており、この情報書込ユニット２７２は、アンテナユニット２７４Ａとアンテナユニット２７４Ｂとを備えている。このアンテナユニット２７４Ａは、電波変換制御部２７６Ａと、コイル状のアンテナ２７８Ａとからなり、コントローラ５８からの電子情報が電波変換制御部２７６Ａで電波に変化される。また、アンテナユニット２７４Ｂは、電波変換制御部２７６Ｂと、コイル状のアンテナ２７８Ｂとからなり、コントローラ５８からの電子情報が電波変換制御部２７６Ｂで電波に変化される。ここで、本実施形態では、コントローラ５８からの電子情報を１３．５６ＭＨｚ帯の電波に変換している。また、図１８に示されるように、アンテナユニット２７４Ａのアンテナ２７８Ａは、搬送されるタグ取付シート２４０の第１タグ２５０のアンテナ２５２と対向するように配置されている。つまり、タグ取付シート２４０が搬送されて情報書込ユニット２７２を通過するときにアンテナ２７８Ａとアンテナ２５２とは平行且つ平面視でほぼ重なり合う。アンテナユニット２７４Ｂのアンテナ２７８Ｂは、搬送されるタグ取付シート２４０の第２タグ２６０のアンテナ２６２と対向するように配置されている。つまり、タグ取付シート２４０が搬送されて情報書込ユニット２７２を通過するときにアンテナ２７８Ｂとアンテナ２６２とは断面視で平行、且つ平面視でほぼ重なり合う。タグ情報書込装置２７０で情報の書込みが完了した後は、タグ取付シート２４０をシート収納装置９６に積層して収納する。
【００６６】
次に、第６実施形態の作用について説明する。図１８に示されるようにタグ取付シート２４０が搬送方向Ｅに搬送されて、アンテナ２７８Ａとアンテナ２５２とが側面視で平行且つ平面視でほぼ重なり合う位置で、タグ取付シート２４０の搬送が一旦中止される。このとき、コントローラ５８からの電子情報が電波変換制御部２７６Ａで電波に変換され、アンテナ２７８Ａから、アンテナ２５２へと発信される。また、コイル状のアンテナ２５２とアンテナ２７８Ａとの間では、電磁誘導が発生し、アンテナ２５２に電気が流れる。これにより、ＩＣチップ２５４が起動し、メモリに電子情報が書き込まれる。同様に、アンテナ２７８Ｂとアンテナ２６２とが平行且つ重なり合うと、タグ取付シート２４０の搬送が一旦中止される。このとき、コントローラ５８からの電子情報が電波変換制御部２７６Ｂで電波に変換され、アンテナ２７８Ｂから、アンテナ２６２へと発信される。また、コイル状のアンテナ２６２とアンテナ２７８Ｂとの間では、電磁誘導が発生し、アンテナ２６２に電気が流れる。これにより、ＩＣチップ２６４が起動し、メモリに電子情報が書き込まれる。
【００６７】
ここで、図１８に示されるように、アンテナ２５２の中心線Ｍの方向と、アンテナ２６２の中心線Ｍの方向とが直交し、アンテナ２７８Ａの中心線の方向と、アンテナ２７８Ｂの中心線の方向とが直交しているため、アンテナ２７８Ａからアンテナ２５２への電波と、アンテナ２７８Ｂからアンテナ２６２への電波との干渉が抑制される。このための、第１タグ２５０及び第２タグ２６０への誤った書込みが抑制される。
【００６８】
前述の実施形態では、タグ取付シート１０がシート供給装置９０、タグ情報書込装置４０、シート収納装置９６の順で搬送されて各処理が実施される構成としたが、本発明はこの構成に限定される必要はなく、シート供給装置９０とタグ情報書込装置４０との間に画像形成可能な印刷装置などを設けてタグ取付シート１０のラベル片１１の表面に画像形成を実施する構成としてもよく、タグ情報書込装置４０とシート収納装置９６との間に画像形成可能な印刷装置などを設けてタグ取付シート１０のラベル片１１の表面に画像形成を実施する構成としてもよい。また、予めタグ取付シートのラベル片の表面に画像形成がなされたタグ取付シート（即ち印刷済みのタグ取付シート）をシート供給装置９０の給紙トレイ９１に束状に積層して収納させる構成としてもよい。
【００６９】
また、前述の実施形態では、タグ取付シートに第１タグ及び第２タグを取付ける構成としたが、本発明はこの構成に限定される必要はなく、タグ取付シートに第１タグのアンテナの延出方向及び第２タグのアンテナの延出方向のどちらとも異なる方向にアンテナが延出する他のタグを取り付けてもよい。
【００７０】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００７１】
【図１】第１実施形態のタグ情報書込システムの構成を示す全体図である。
【図２】第１実施形態のタグ情報書込装置の情報書込ユニットを説明するための部分断面平面図である。
【図３】（Ａ）第１実施形態のタグ取付シートの一部分を断面とした平面図である。（Ｂ）第１実施形態のタグ取付シートの部分断面側面図である。
【図４】第１実施形態のタグ取付シートがタグ情報書込装置の搬送ベルト上に配置された状態を示す平面図である。
【図５】タグ取付シートがタグ情報書込装置の搬送ベルト上を搬送されて、第１の書込みを実施する状態を示す平面図である。
【図６】タグ取付シートがタグ情報書込装置の搬送ベルト上を搬送されて、第２の書込みを実施する状態を示す平面図である。
【図７】タグ取付シートがタグ情報書込装置の搬送ベルト上を搬送されて、第３の書込みを実施する状態を示す平面図である。
【図８】アンテナユニットから発信される電波が第１タグによって受信される状態を示す側面から見た説明図である。
【図９】第２実施形態のタグ取付シートの一部分を断面とした平面図である。
【図１０】第２実施形態のタグ取付シートがタグ情報書込装置の搬送ベルト上に配置された状態を示す平面図である。
【図１１】（Ａ）第３実施形態のタグ取付シートの一部分を断面とした平面図である。（Ｂ）第３実施形態のタグ取付シートの部分断面側面図である。
【図１２】第３実施形態のタグ取付シートがタグ情報書込装置の搬送ベルト上に配置された状態を示す平面図である。
【図１３】第４実施形態のタグ取付シートの一部分を断面とした平面図である。
【図１４】第４実施形態のタグ取付シートがタグ情報書込装置の搬送ベルト上に配置された状態を示す平面図である。
【図１５】第５実施形態のタグ情報書込システムの構成を示す全体図である。
【図１６】（Ａ）第５実施形態の第１タグ取付シートの一部分を断面とした平面図である。（Ｂ）第５実施形態の第２タグ取付シートの一部分を断面とした平面図である。（Ｃ）タグ情報書込装置の情報書込ユニットを示す平面説明図である。
【図１７】第６実施形態のタグ取付シート及びタグ情報書込装置の情報書込ユニットを示す平面説明図である。
【図１８】第６実施形態のタグ取付シートがタグ情報書込装置の搬送ベルト上に配置された状態を示す部分断面図である。
【符号の説明】
【００７２】
１０      タグ取付シート
１２      第１タグ
１６      アンテナ
２２      第２タグ
２６      アンテナ
４０      タグ情報書込装置
４２      情報書込ユニット（情報書込手段）
４８Ａ    アンテナ
４８Ｂ    アンテナ
６０      搬送ベルト（搬送手段）
７０      搬送ベルト（搬送手段）
８０      タグ情報書込システム
１５０    タグ取付シート
１６０    タグ情報書込装置
１６２    情報書込ユニット（情報書込手段）
１７０    タグ取付シート
１８０    タグ取付シート
１９０    タグ情報書込装置
２００    タグ情報書込システム
２１０    第１タグ取付シート
２２０    第２タグ取付シート
２３０    タグ情報書込装置
２３２    情報書込ユニット（情報書込手段）
２３４    情報書込ユニット（情報書込手段）
２４０    タグ取付シート
２５０    第１タグ
２５２    アンテナ
２６０    第２タグ
２６２    アンテナ
２７０    タグ情報書込装置
２７２    情報書込ユニット（情報書込手段）
２７８Ａ  アンテナ
２７８Ｂ  アンテナ
Ｅ 搬送方向
Ｘ 列方向
Ｙ 行方向
【図１】
2009301226.tif 000003
【図２】
2009301226.tif 000004
【図３】
2009301226.tif 000005
【図４】
2009301226.tif 000006
【図５】
2009301226.tif 000007
【図６】
2009301226.tif 000008
【図７】
2009301226.tif 000009
【図８】
2009301226.tif 000010
【図９】
2009301226.tif 000011
【図１０】
2009301226.tif 000012
【図１１】
2009301226.tif 000013
【図１２】
2009301226.tif 000014
【図１３】
2009301226.tif 000015
【図１４】
2009301226.tif 000016
【図１５】
2009301226.tif 000017
【図１６】
2009301226.tif 000018
【図１７】
2009301226.tif 000019
【図１８】
2009301226.tif 000020